(57)【要約】【課題】用紙の供給時に複数枚の重なり合った用紙が用紙載置部から分離ローラへ向かって強く押し込まれた場合であっても、分離ローラによる用紙の重送を回避することができる分離給紙装置を提供することを目的とする。【解決手段】本発明の分離給紙装置は、用紙載置部と、用紙載置部から用紙の搬送方向に連設された用紙搬送面と、前記用紙の搬送方向に対して直交して配設された回転軸に取り付けられ前記回転軸の回転に伴って回転し前記用紙載置部に載置された前記用紙を前記用紙搬送面に送り出す分離ローラと、前記用紙搬送面上に配設され前記分離ローラに前記用紙を挟んで圧接される分離パッドと、を備えた分離給紙装置であって、前記用紙搬送面上の前記分離ローラと前記分離パッドの当接部の両側に出没自在に配設されたストッパレバー部を備えた構成を有する。【選択図】　図２
2004083202.tif 000002
【特許請求の範囲】
【請求項１】
用紙載置部と、用紙載置部から用紙の搬送方向に連設された用紙搬送面と、前記用紙の搬送方向に対して直交して配設された回転軸に取り付けられ前記回転軸の回転に伴って回転し前記用紙載置部に載置された前記用紙を前記用紙搬送面に送り出す分離ローラと、前記用紙搬送面上に配設され前記分離ローラに前記用紙を挟んで圧接される分離パッドと、を備えた分離給紙装置であって、
前記用紙搬送面上の前記分離ローラと前記分離パッドの当接部の両側に出没自在に配設されたストッパレバー部を備えていることを特徴とする分離給紙装置。
【請求項２】
前記ストッパレバー部が、前記分離ローラと前記分離パッドの当接部近傍の前記搬送方向の手前側に配設されていることを特徴とする請求項１に記載の分離給紙装置。
【請求項３】
前記用紙載置部の用紙の挿入口に開閉自在に配設されたカバー部と、前記カバー部の開閉に連動して前記ストッパレバー部を出没させるレバー部操作機構部と、を備えていることを特徴とする請求項１又は２に記載の分離給紙装置。
【請求項４】
前記レバー部操作機構部が、一端部に前記ストッパレバー部が形成され他端部に押込側端部が形成され屈曲部分で回動自在に軸支された略Ｌ字状のレバー部材と、前記用紙載置部の前記用紙の搬送方向に連設され前記用紙載置部側で軸支され傾動自在に配設された可動用紙載置部と、前記可動用紙載置部に配設され前記可動用紙載置部の傾動により前記押込側端部を前記ストッパレバー部を突出させる方向に押し込むレバー押込部と、前記可動用紙載置部の両側部に配設された掛止部材と、前記カバー部の両側部に前記掛止部材に向かって突出して形成され前記カバー部の開閉に連動して前記掛止部材を押圧して前記可動用紙載置部を傾動させるカバー部掛止部と、を備えていることを特徴とする請求項３に記載の分離給紙装置。
【請求項５】
前記ストッパレバー部の前記用紙の当接側に突出して形成された引っ掛かり部を備えていることを特徴とする請求項１乃至４の内いずれか１項に記載の分離給紙装置。
【発明の詳細な説明】
【０００１】
【発明の属する技術分野】
本発明は、ファクシミリ、プリンタ、複写機等に用いられ、原稿や記録紙等の複数枚の用紙を一枚づつ分離し搬送する分離給紙装置に関する。
【０００２】
【従来の技術】
近年、ファクシミリ、プリンタ、複写機等には、原稿や記録紙等の複数枚の用紙を１枚づつに分離し搬送する分離給紙装置が用いられている。従来の分離給紙装置としては、例えば特許文献１に示すものがある。
【０００３】
図５は、特許文献１に記載の従来の分離給紙装置の一例を示す要部断面図である。
【０００４】
図中、５１は従来の分離給紙装置、５２は分離給紙装置５１のケーシング部材、５３はケーシング部材５２の上部側の用紙載置部、５４はケーシング部材５２の下部側に形成された用紙搬送面、５５は用紙載置部５３の最下部に用紙の搬送方向に直交して配設された回転軸、５６は回転軸５５に軸着された分離ローラ、５７は分離ローラ５６の下部に圧接して配設された分離パッド、Ｘは用紙、Ｙは分離ローラ５６と分離パッド５７の当接部である分離ポイントである。
【０００５】
以上のように構成された従来の分離給紙装置５１について、その動作を図を用いて説明する。
【０００６】
図５に示すように、分離ローラ５６は、回転軸５５に取り付けられ回転軸５５の回転に伴って回転し、用紙載置部５３に載置された用紙Ｘを用紙搬送面５４に送り出す。このとき、用紙搬送面５４上に分離ローラ５６に圧接して配設された分離パッド５７により用紙Ｘを１枚づつ分離する。このようにして、分離給紙装置５１により、用紙載置部５３に載置された用紙Ｘを１枚づつ分離して用紙搬送面５４に送り出すことができる。
【０００７】
【特許文献１】
特開平９−２４０８６５号
【０００８】
【発明が解決しようとする課題】
しかしながら上記従来の給紙分離装置では、以下のような課題を有していた。
【０００９】
（１）用紙Ｘを用紙載置部５３に供給する際に用紙載置部５３から分離ローラ５６へ向かって複数枚の用紙Ｘを強く押し込んだ場合、複数枚の重なり合った用紙Ｘは、分離パッド５７と分離ローラ５６の当接部である分離ポイントＹまで送り込まれ、分離パッド５７と分離ローラ５６の間に挟み込まれてしまう。このため、分離ローラ５６から複数枚の用紙Ｘが重なり合って送り出され、用紙Ｘの重送が発生してしまうという課題を有していた。
【００１０】
本発明は上記従来の課題を解決するもので、用紙の供給時に複数枚の重なり合った用紙が用紙載置部から分離ローラへ向かって強く押し込まれた場合であっても、分離ローラによる用紙の重送を回避することができる分離給紙装置を提供することを目的とする。
【００１１】
【課題を解決するための手段】
上記課題を解決するために、本発明の分離給紙装置は、用紙載置部と、用紙載置部から用紙の搬送方向に連設された用紙搬送面と、前記用紙の搬送方向に対して直交して配設された回転軸に取り付けられ前記回転軸の回転に伴って回転し前記用紙載置部に載置された前記用紙を前記用紙搬送面に送り出す分離ローラと、前記用紙搬送面上に配設され前記分離ローラに前記用紙を挟んで圧接される分離パッドと、を備えた分離給紙装置であって、前記用紙搬送面上の前記分離ローラと前記分離パッドの当接部の両側に出没自在に配設されたストッパレバー部を備えた構成を有している。
【００１２】
この構成により、用紙の供給時に複数枚の重なり合った用紙が用紙載置部から分離ローラへ向かって強く押し込まれた場合であっても、分離ローラによる用紙の重送を回避することができる分離給紙装置を提供することができる。
【００１３】
【発明の実施の形態】
本発明の請求項１に記載の分離給紙装置は、用紙載置部と、用紙載置部から用紙の搬送方向に連設された用紙搬送面と、用紙の搬送方向に対して直交して配設された回転軸に取り付けられ回転軸の回転に伴って回転し用紙載置部に載置された用紙を用紙搬送面に送り出す分離ローラと、用紙搬送面上に配設され分離ローラに用紙を挟んで圧接される分離パッドと、を備えた分離給紙装置であって、用紙搬送面上の分離ローラと分離パッドの当接部の両側に出没自在に配設されたストッパレバー部を備えた構成を有している。
【００１４】
この構成により、以下の作用を有する。
【００１５】
（１）用紙の供給時に複数枚の重なり合った用紙が用紙載置部から分離ローラへ向かって強く押し込まれた場合であっても、用紙が突出したストッパレバー部に引っ掛かることによって、用紙が分離ポイントを超えて分離ローラと分離パッドの間に挿入されることを防ぐことができるので、分離ローラが送り出そうとする複数枚の重なり合った用紙から分離ローラに当接する１枚の用紙だけを確実に分離することができ、分離ローラによる用紙の重送を回避することができる。
【００１６】
（２）分離ローラにより用紙搬送面側へ用紙を搬送する際には、ストッパレバー部を没入させることにより、用紙の先端は分離ポイントの手前の好適な位置に配置された状態で分離ローラに送られるため、分離ローラに当接する１枚の用紙だけを確実に分離することができる。
【００１７】
本発明の請求項２に記載の発明は、請求項１に記載の分離給紙装置であって、ストッパレバー部が、分離ローラと分離パッドの当接部近傍の搬送方向の手前側に配設された構成を有している。
【００１８】
この構成により、請求項１の作用に加え、以下の作用を有する。
【００１９】
（１）用紙が分離ポイントを超えて分離ローラと分離パッドの間に挿入されることを確実に防止することができる。
【００２０】
本発明の請求項３に記載の発明は、請求項１又は２に記載の分離給紙装置であって、用紙載置部の用紙の挿入口に開閉自在に配設されたカバー部と、カバー部の開閉に連動してストッパレバー部を出没させるレバー部操作機構部と、を備えた構成を有している。
【００２１】
この構成により、請求項１又は２の作用に加え、以下の作用を有する。
【００２２】
（１）カバー部を開くことにより、レバー部操作機構部を介してストッパレバー部を用紙搬送面から突出させることができるので、カバー部を開いて用紙載置部に用紙を供給する際に、複数枚の重なり合った用紙が用紙載置部から分離ローラへ向かって強く押し込まれた場合であっても、用紙が突出したストッパレバー部に引っ掛かることによって、用紙が分離ポイントを超えて分離ローラと分離パッドの間に挿入されることを防ぐことができる。
【００２３】
（２）カバー部を閉じることにより、レバー部操作機構部を介してストッパレバー部を用紙搬送面に没入させることができるので、カバー部を閉じた後は、用紙の先端は分離ポイントの手前の好適な位置に配置された状態で分離ローラに送られるため、分離ローラに当接する１枚の用紙だけを確実に分離することができる。
【００２４】
本発明の請求項４に記載の発明は、請求項３に記載の分離給紙装置であって、レバー部操作機構部が、一端部にストッパレバー部が形成され他端部に押込側端部が形成され屈曲部分で回動自在に軸支された略Ｌ字状のレバー部材と、用紙載置部の用紙の搬送方向に連設され用紙載置部側で軸支され傾動自在に配設された可動用紙載置部と、可動用紙載置部に配設され可動用紙載置部の傾動により押込側端部をストッパレバー部を突出させる方向に押し込むレバー押込部と、可動用紙載置部の両側部に配設された掛止部材と、カバー部の両側部に掛止部材に向かって突出して形成されカバー部の開閉に連動して掛止部材を押圧して可動用紙載置部を傾動させるカバー部掛止部と、を備えた構成を有している。
【００２５】
この構成により、請求項３の作用に加え、以下の作用を有する。
【００２６】
（１）カバー部を回動させてカバー部を開くと、カバー部掛止部は掛止部材を押圧し、可動用紙載置部が下方へ傾動し、その下端部に形成されたレバー押込部がレバー部材の押込側端部側へ移動し、レバー押込部により、押込側端部が押し込まれ、レバー部材が回動し、ストッパレバー部が用紙搬送面から突出する。これにより、用紙を用紙載置部へ供給する際に、複数枚の重なり合った用紙が、搬送方向上流側から分離ローラへ向かって強く押し込まれた場合であっても、用紙がストッパレバー部に引っ掛かることによって、用紙が分離ポイントを超えて分離ローラと分離パッドの間に挿入されることを防止することができる。
【００２７】
（２）カバー部を閉じると、カバー部掛止部による掛止部材の押圧が解かれ、可動用紙載置部がスプリング等により付勢されて上方へ傾動し、その下端部に形成されたレバー押込部が押込側端部から離隔する方向へ移動し、レバー部材の押込側端部にかかっていたレバー押込部による押し込みが解かれ、レバー部材は自重により回動し、ストッパレバー部が没入する。これにより、分離ローラが送り出そうとする複数枚の重なり合った用紙から分離ローラに当接する１枚の用紙だけを確実に分離することができる。
【００２８】
本発明の請求項５に記載の発明は、請求項１乃至４の内いずれか１項に記載の分離給紙装置であって、ストッパレバー部の用紙の当接側に突出して形成された引っ掛かり部を備えた構成を有している。
【００２９】
この構成により、請求項１乃至４の内いずれか１項の作用に加え、以下の作用を有する。
【００３０】
（１）引っ掛かり部により、用紙が確実にストッパレバー部に引っ掛かるので、用紙が分離ポイントを超えて分離ローラと分離パッドの間に挿入されることを確実に防止することができる。
【００３１】
以下に本発明の一実施の形態について説明する。
【００３２】
（実施の形態１）
図１は本実施の形態１における分離給紙装置が内蔵されたファクシミリ装置の要部斜視図であり、図２（ａ）は本実施の形態１における分離給紙装置の要部斜視図であり、図２（ｂ）は図２（ａ）のＡ−Ａ線の矢視断面図であり、３（ａ）は本実施の形態１における分離給紙装置の要部斜視図であり、図３（ｂ）は図３（ａ）のＢ−Ｂ線の矢視断面図である。なお、図２及び図３において分離ローラは省略している。
【００３３】
図１において、１は本実施の形態１における分離給紙装置、２は分離給紙装置１のケーシング部材、３はケーシング部材２の上部に連設された用紙載置部、４は用紙載置部３の用紙の搬送方向に連設されケーシング部材２に上端部で回動自在に軸支された可動用紙載置部、５は可動用紙載置部４の上面側に開閉自在に配設されたカバー部、Ｚは分離給紙装置１が内蔵されたファクシミリ装置である。
【００３４】
図２又は図３において、４ａはカバー部５の開閉に連動して後述のストッパレバー部を出没させるレバー部操作機構部、４ｂは可動用紙載置部４の両側部に配設された掛止部材、４ｃは掛止部材４ｂに形成された掛止溝部、４ｄは掛止部材４ｂに形成され掛止溝部４ｃに連設された掛止部スライド傾斜部、４ｅは可動用紙載置部４の最下部に配設されたレバー押込部、４ｆは可動用紙載置部４の両側部に立設された可動用紙載置部側部壁、５ａはカバー部５の両側部に突出して形成されカバー部５の後述のカバー部回動軸の反対側に形成されカバー部５が開いた状態で掛止部材ｂの掛止溝部４ｃに嵌入するカバー部掛止部、６はケーシング部材２に配設された載置部軸支部、６ａは可動用紙載置部側部壁４ｆに設けられ載置部軸支部６に軸支される載置部回動軸、７はカバー部５を開閉自在に軸支するカバー部回動軸、８はケーシング部材２の下部上面側に形成された用紙搬送面、９は可動用紙載置部４の上面側中央に配設された押圧部材、１０は用紙搬送面８の上面側中央部に押圧部材９に連設して配設された分離部材、１１は押圧部材９と分離部材１０に跨って配設され図示しない分離ローラに圧接される分離パッド、１２ａ、１２ｂは用紙搬送面８上に分離パッド１１の両側に形成されたレバー用孔部、１３ａ、１３ｂはレバー用孔部１２ａ、１２ｂから出没自在に配設されたストッパレバー部、１３ｃはストッパレバー部１３ａ、１３ｂに形成された引っ掛かり部、１４は一端部にストッパレバー部１３ａ、１３ｂが形成された略Ｌ字状のレバー部材、１４ａはレバー部材１４をその屈曲部分で回動自在に軸支するレバー部回動軸、１４ｂはレバー部材１４の他端部に形成され可動用紙載置部４のレバー押込部４ｅにより押し込まれる押込側端部である。
【００３５】
分離給紙装置１は、用紙載置部３及び可動用紙載置部４上の用紙を送り出すピックアップローラである分離ローラを備えている。なお、分離ローラは図示していないが、分離ローラは回転軸に軸支され、分離パッド１１に上部に当接して設けられる。また、分離パッド１１は、薄板状のコルク材等で可撓性を有するように形成されている。
【００３６】
分離パッド１１の下部には、分離パッド１１を分離ローラに押し付ける押圧部材９と、分離ローラが送り出そうとする複数枚の重なり合った用紙から分離ローラに当接する１枚の用紙だけを分離して分離ローラに送り出させる分離部材１０とが配設されている。また、押圧部材９及び分離部材１０の下部には押圧部材９及び分離部材１０を分離ローラ側に付勢する図示しないスプリングが配設されている。
【００３７】
可動用紙載置部４は、その下部側にスプリング等の弾性部材が配設され、カバー部５側へ付勢されている。
【００３８】
カバー部５の開閉に連動してストッパレバー部１３ａを出没させるレバー部操作機構部４ａは、カバー部掛止部５ａ、掛止部材４ｂ、可動用紙載置部４、及びレバー部材１４により構成されている。
【００３９】
カバー部掛止部５ａは、板状に形成されたカバー部５の両端部にカバー部回動軸７を介して反対側に突出して配設されている。可動用紙載置部４の両端部には、カバー部掛止部５ａに対向して掛止部材４ｂに配設されている。掛止部材４ｂは掛止溝部４ｃと、掛止溝部４ｃの下部側に形成された掛止部スライド傾斜部４ｄと、を有している。掛止溝部４ｂにはカバー部５が開いた状態でカバー部掛止部５ａが嵌入し、カバー部５を開いた状態で固定されるようになっている。
【００４０】
レバー部材１４は、略Ｌ字状に形成され、一端部にストッパレバー部１３ａが形成され、他端部に押込側端部１４ｂが形成されている。レバー部材１４は、屈曲部分に配設されたレバー部回動軸１４ａにより軸支され、可動用紙載置部４のレバー押込部４ｅにより押込側端部１４ｂが押し込まれるとストッパレバー部１３ａが用紙搬送面８から突出する方向へ回動する。また、レバー押込部４ｅによる押し込みが解除されると、自重によりストッパレバー部１３ａが用紙搬送面８に没入する方向へ回動する。
【００４１】
ストッパレバー部１３ａ、１３ｂは、分離ローラと分離パッド１１の当接部近傍の少なくとも搬送方向の手前側に配設されている。また、ストッパレバー部１３ａ、１３ｂには、その用紙の当接側に突出した引っ掛かり部１３ｃが形成されている。これにより、用紙が確実にストッパレバー部１３ａ、１３ｂに引っ掛かるので、用紙が分離ポイントを超えて分離ローラと分離パッド１１の間に挿入されることを確実に防止することができる。
【００４２】
以上のように構成された本実施の形態１における分離給紙装置について、以下その動作を図を用いて説明する。
【００４３】
図４（ａ）は本発明の実施の形態１における分離給紙装置のカバー部が開いた状態を示す要部断面図であり、図４（ｂ）は本発明の実施の形態１における分離給紙装置のカバー部が閉じた状態を示す要部断面図である。
【００４４】
図４において、１５は回転軸、１６は回転軸１５に回動自在に軸支された分離ローラ、Ｘは用紙、Ｙは分離ポイントである。なお、図２又は３において説明したものと同様のものは同一の符号を付けて説明を省略する。
【００４５】
ここで、分離ポイントＹの近傍では、分離ローラ１６の回転により、分離ローラ１６と接する上から１枚目の用紙には搬送力Ｆ１が生じる。同時に上から２枚目の用紙には１枚目の用紙との間に摩擦力Ｆ２が生じ、摩擦力Ｆ２により同方向へ搬送されるが、分離パッド１１の押圧により用紙と分離パッド１１との間に摩擦力Ｆ３が生じ、この用紙は摩擦力Ｆ３を受ける。したがって、分離ポイントＹの近傍では、搬送力Ｆ１＞摩擦力Ｆ３＞摩擦力Ｆ２の関係を満たすように構成されている。これにより、分離ローラ１６と接する上から１枚目の用紙のみを搬送することができる。
【００４６】
図４（ａ）に示すように、カバー部５をカバー部回動軸７を中心にＣ方向に回動させてカバー部５を開くと、カバー部掛止部５ａは掛止部スライド傾斜部４ｄに沿って上部側へ移動し掛止溝部４ｂに嵌入する。このとき、可動用紙載置部４は載置部回動軸６ａを中心に回動し、その下端部に形成されたレバー押込部４ｅがＤ方向へ移動する。このレバー押込部４ｅにより、レバー部材１４の押込側端部１４ｂが押し込まれ、レバー部材１４はレバー部回動軸１４ａを中心にＥ方向に回動し、ストッパレバー部１３ａが用紙搬送面８から突出する。
【００４７】
これにより、用紙Ｘを用紙載置部へ供給する際に、複数枚の重なり合った用紙Ｘが、搬送方向上流側から分離ローラ１６へ向かって強く押し込まれた場合であっても、用紙Ｘがストッパレバー部１３ａに引っ掛かることによって、用紙Ｘが分離ポイントＹを超えて分離ローラ１６と分離パッド１１の間に挿入されることを防止することができる。
【００４８】
次に、図４（ｂ）に示すように、カバー部５をカバー部回動軸７を中心にＦ方向に回動させてカバー部５を閉じると、カバー部掛止部５ａは掛止溝部４ｂから掛止部スライド傾斜部４ｄに沿って下部側へ移動する。このとき、可動用紙載置部４は図示しないスプリングにより付勢され載置部回動軸６ａを中心に回動し、その下端部に形成されたレバー押込部４ｅがＧ方向へ移動する。これにより、レバー部材１４の押込側端部１４ｂにかかっていたレバー押込部４ｅによる押し込みが解かれ、レバー部材１４は自重によりレバー部回動軸１４ａを中心にＨ方向に回動し、ストッパレバー部１３ａが没入する。
【００４９】
カバー部５を閉じた後は、用紙載置部に供給された複数枚の重なり合った用紙Ｘが搬送方向上流側から分離ローラ１６へ向かって押し込まれることはないので、用紙Ｘの先端は分離ポイントＹの手前の好適な位置に配置される。これにより、分離ローラ１６が送り出そうとする複数枚の重なり合った用紙Ｘから分離ローラ１６に当接する１枚の用紙だけを確実に分離することができる。
【００５０】
以上のように本実施の形態１における分離給紙装置は構成されているので、用紙Ｘの供給時に複数枚の重なり合った用紙Ｘが搬送方向上流側から分離ローラ１６へ向かって強く押し込まれた場合であっても、用紙Ｘの重送を防止して複数枚の用紙Ｘを１枚づつに確実に分離することができるという作用を有する。
【００５１】
【発明の効果】
以上のように本発明の分離給紙装置によれば、以下のような有利な効果を得ることができる。
【００５２】
請求項１に記載の発明によれば、
（１）用紙の供給時に複数枚の重なり合った用紙が用紙載置部から分離ローラへ向かって強く押し込まれた場合であっても、用紙が突出したストッパレバー部に引っ掛かることによって、用紙が分離ポイントを超えて分離ローラと分離パッドの間に挿入されることを防ぐことができるので、分離ローラが送り出そうとする複数枚の重なり合った用紙から分離ローラに当接する１枚の用紙だけを確実に分離することができ、分離ローラによる用紙の重送を回避することができる分離給紙装置を提供することができる。
【００５３】
（２）分離ローラにより用紙搬送面側へ用紙を搬送する際には、ストッパレバー部を没入させることにより、用紙の先端は分離ポイントの手前の好適な位置に配置された状態で分離ローラに送られるため、分離ローラに当接する１枚の用紙だけを確実に分離することができる分離給紙装置を提供することができる。
【００５４】
請求項２に記載の発明によれば、請求項１の効果に加え、
（１）用紙が分離ポイントを超えて分離ローラと分離パッドの間に挿入されることを確実に防止することができる分離給紙装置を提供することができる。
【００５５】
請求項３記載の発明によれば、請求項１又は２の効果に加え、
（１）カバー部を開くことにより、レバー部操作機構部を介してストッパレバー部を用紙搬送面から突出させることができるので、カバー部を開いて用紙載置部に用紙を供給する際に、複数枚の重なり合った用紙が用紙載置部から分離ローラへ向かって強く押し込まれた場合であっても、用紙が突出したストッパレバー部に引っ掛かることによって、用紙が分離ポイントを超えて分離ローラと分離パッドの間に挿入されることを防ぐことができる分離給紙装置を提供することができる。
【００５６】
（２）カバー部を閉じることにより、レバー部操作機構部を介してストッパレバー部を用紙搬送面に没入させることができるので、カバー部を閉じた後は、用紙の先端は分離ポイントの手前の好適な位置に配置された状態で分離ローラに送られるため、分離ローラに当接する１枚の用紙だけを確実に分離することができる分離給紙装置を提供することができる。
【００５７】
請求項４記載の発明によれば、請求項３の効果に加え、
（１）カバー部を回動させてカバー部を開くと、カバー部掛止部は掛止部材を押圧し、可動用紙載置部が下方へ傾動し、その下端部に形成されたレバー押込部がレバー部材の押込側端部側へ移動し、レバー押込部により、押込側端部が押し込まれ、レバー部材が回動し、ストッパレバー部が用紙搬送面から突出する。これにより、用紙を用紙載置部へ供給する際に、複数枚の重なり合った用紙が、搬送方向上流側から分離ローラへ向かって強く押し込まれた場合であっても、用紙がストッパレバー部に引っ掛かることによって、用紙が分離ポイントを超えて分離ローラと分離パッドの間に挿入されることを防止することができる分離給紙装置を提供することができる。
【００５８】
（２）カバー部を閉じると、カバー部掛止部による掛止部材の押圧が解かれ、可動用紙載置部がスプリング等により付勢されて上方へ傾動し、その下端部に形成されたレバー押込部が押込側端部から離隔する方向へ移動し、レバー部材の押込側端部にかかっていたレバー押込部による押し込みが解かれ、レバー部材は自重により回動し、ストッパレバー部が没入する。これにより、分離ローラが送り出そうとする複数枚の重なり合った用紙から分離ローラに当接する１枚の用紙だけを確実に分離することができる分離給紙装置を提供することができる。
【００５９】
請求項５記載の発明によれば、請求項１乃至４の内いずれか１項の効果に加え、
（１）引っ掛かり部により、用紙が確実にストッパレバー部に引っ掛かるので、用紙が分離ポイントを超えて分離ローラと分離パッドの間に挿入されることを確実に防止することができる分離給紙装置を提供することができる。
【図面の簡単な説明】
【図１】本発明の実施の形態１における分離給紙装置が内蔵されたファクシミリ装置の要部斜視図
【図２】（ａ）本発明の実施の形態１における分離給紙装置の要部斜視図
（ｂ）図２（ａ）のＡ−Ａ線の矢視断面図
【図３】（ａ）本発明の実施の形態１における分離給紙装置の要部斜視図
（ｂ）図３（ａ）のＢ−Ｂ線の矢視断面図
【図４】（ａ）本発明の実施の形態１における分離給紙装置のカバー部が開いた状態を示す要部断面図
（ｂ）本発明の実施の形態１における分離給紙装置のカバー部が閉じた状態を示す要部断面図
【図５】従来の分離給紙装置の一例を示す要部断面図
【符号の説明】
１　分離給紙装置
２　ケーシング部材
３　用紙載置部
４　可動用紙載置部
４ａ　レバー部操作機構部
４ｂ　掛止部材
４ｃ　掛止溝部
４ｄ　掛止部スライド傾斜部
４ｅ　レバー押込部
４ｆ　可動用紙載置部側部壁
５　カバー部
５ａ　カバー部掛止部
６　載置部軸支部
６ａ　載置部回動軸
７　カバー部回動軸
８　用紙搬送面
９　押圧部材
１０　分離部材
１１　分離パッド
１２ａ、１２ｂ　レバー用孔部
１３ａ、１３ｂ　ストッパレバー部
１３ｃ　引っ掛かり部
１４　レバー部材
１４ａ　レバー部回動軸
１４ｂ　押込側端部
１５　回転軸
１６　分離ローラ
５１　分離給紙装置
５２　ケーシング部材
５３　用紙載置部
５４　用紙搬送面
５５　回転軸
５６　分離ローラ
５７　分離パッド
Ｘ　用紙
Ｙ　分離ポイント
Ｚ　ファクシミリ装置
【図１】
2004083202.tif 000003
【図２】
2004083202.tif 000004
【図３】
2004083202.tif 000005
【図４】
2004083202.tif 000006
【図５】
2004083202.tif 000007